(57)【要約】      （修正有）【課題】製造性の向上を図ることができる電子機器を提供する。【解決手段】アンテナカバー１３は、接着剤によって、バックカバーに固定される。接着剤は、例えば第２部分４２の第１面５１に塗られる。接着剤が流動性のある状態で、接着剤が塗られた第１面５１をバックカバーに合わせると、アンテナカバー１３とバックカバーとの間に接着剤が挟まれ、接着剤が移動する。このとき、第１穴５３の近傍に位置する接着剤の一部は、第１溝６３に収容される。第１溝６３に収容された接着剤の一部は、第２溝６４を通じて第２穴５４に逃がされる。第２穴５４に逃がされた接着剤の一部は、第２穴５４から第２部分４２の第２面５２に向けて導かれ、第２穴５４の内部に移動する。これにより、接着剤４７が、第１穴５３の内部に侵入することが抑制される。【選択図】図９
2013250328.tif 000002
【特許請求の範囲】
【請求項１】
筐体の一部を構成した第１部材と、
前記筐体の外部に露出した第１部分と、前記筐体の内側から前記第１部材に重なる第２部分とを有し、前記筐体の他の一部を構成した第２部材と、
前記第１部材と前記第２部材の第２部分との間に位置した接着剤と、
前記筐体に収容された第１部品と、
を有し、
前記第２部分は、前記接着剤に面した第１面と、該第１面とは反対側に位置して前記筐体の内部に露出した第２面と、該第２部分を貫通して前記第１部品の少なくとも一部が収容された第１穴と、前記第１面で前記第１穴の周囲に設けられた第１溝と、該第２部分を貫通して前記接着剤の一部を前記第１面から前記第２面に向けて導く第２穴と、前記第１面で前記第１溝と前記第２穴とに亘り、前記第１溝に収容された前記接着剤の一部を前記第２穴に向けて導く第２溝と、が設けられたテレビジョン受像機。
【請求項２】
請求項１の記載において、
前記第２部分は、前記第１穴と前記第１溝との間に設けられ、前記第１穴を囲む環状の突起をさらに有したテレビジョン受像機。
【請求項３】
請求項２の記載において、
前記突起は、前記第２部材から前記第１部材に向いて突出して前記第１部材に接したテレビジョン受像機。
【請求項４】
請求項１または請求項３の記載において、
前記第２穴は、前記第１穴に対して、前記第２部材の第１部分とは反対側に位置したテレビジョン受像機。
【請求項５】
請求項１または請求項４の記載において、
前記第１部品は、ねじであり、
前記第１穴は、前記ねじが係合するねじ穴であるテレビジョン受像機。
【請求項６】
請求項１または請求項５の記載において、
前記第２部材は、該第２部材の長手方向の端部を有し、
前記第２穴は、前記第１穴と前記端部との間に位置し、
前記第２溝は、前記第２部材の長手方向に延びたテレビジョン受像機。
【請求項７】
請求項１または請求項６の記載において、
前記筐体に収容された第２部品をさらに備え、
前記第２部分は、該第２部分を貫通して前記第２部品の少なくとも一部が収容された第３穴と、前記第１面で前記第３穴の周囲に設けられた第３溝と、前記第１面で前記第３溝と前記第２穴とに亘り、前記第３溝に収容された前記接着剤の一部を前記第２穴に向けて導く第４溝と、が設けられたテレビジョン受像機。
【請求項８】
請求項１または請求項７の記載において、
前記第１部材は、金属製であり、
前記第２部材は、プラスチック製のアンテナカバーであるテレビジョン受像機。
【請求項９】
第１部材と、
第２部材と、
前記第１部材と前記第２部材との間に位置した接着剤と、
を有し、
前記第２部材は、前記接着剤に面した第１面と、該第１面とは反対側に位置した第２面と、該第２部材を貫通した穴と、前記第１面で前記穴の周囲に設けられた第１溝と、前記第１面と前記第２面とに亘る連通部と、前記第１面で前記第１溝と前記連通部とに亘る第２溝と、が設けられた電子機器。
【請求項１０】
第１部材と、
穴が設けられた第２部材と、
前記第１部材と前記第２部材との間に位置した接着剤と、
前記第１部材または前記第２部材に設けられ、前記穴近傍に位置して前記接着剤の一部が収容可能な部分と、
を有した電子機器。
【発明の詳細な説明】
【技術分野】
【０００１】
本発明の実施形態は、テレビジョン受像機を含む電子機器に関する。
【背景技術】
【０００２】
接着剤が用いられた電子機器が提供されている。
【先行技術文献】
【特許文献】
【０００３】
【特許文献１】特開２００８−２２４６０２号公報
【発明の概要】
【発明が解決しようとする課題】
【０００４】
電子機器は、製造性の向上が要望されている。
【０００５】
本発明は、製造性の向上を図ることができるテレビジョン受像機及び電子機器を提供することを目的の一つとする。
【課題を解決するための手段】
【０００６】
一つの実施形態によれば、電子機器は、第１部材と、穴が設けられた第２部材と、前記第１部材と前記第２部材との間に位置した接着剤と、前記第１部材または前記第２部材に設けられ、前記穴近傍に位置して前記接着剤の一部が収容可能な部分と、を有する。
【図面の簡単な説明】
【０００７】
【図１】第１実施形態に係るテレビジョン受像機の正面図。
【図２】図１中に示されたテレビジョン受像機の背面図。
【図３】第２実施形態に係る電子機器の斜視図。
【図４】図３中に示された表示ユニットの前面を示す斜視図。
【図５】図３中に示された表示ユニットの背面を示す斜視図。
【図６】図５中に示されたバックカバーの平面図。
【図７】図５中に示されたアンテナカバーの背面図。
【図８】図５中に示された表示ユニットの内部を示す平面図。
【図９】図７中に示されたアンテナカバーの端部の斜視図。
【図１０】図７中に示されたアンテナカバーの端部の斜視図。
【図１１】図８中に示された筐体の、図９中のＦ１１−Ｆ１１線に沿う断面図。
【図１２】図１１中に示された実施形態の変形例の断面図。
【図１３】図８中に示された筐体の、図９中のＦ１３−Ｆ１３線に沿う断面図。
【図１４】図８中に示された筐体のＦ１４−Ｆ１４線に沿う断面図。
【図１５】図８中に示された補強部材の一部を示す斜視図。
【図１６】第２実施形態の変形例に係る筐体を示す断面図。
【図１７】第３実施形態に係る電子機器の斜視図。
【図１８】図１７中に示された電子機器の内部を示す平面図。
【図１９】図１７中に示されたバッテリを示す断面図。
【図２０】第４実施形態に係る電子機器の一部を示す断面図。
【図２１】第５実施形態に係る電子機器の一部を示す断面図。
【図２２】第６実施形態に係る電子機器の一部を示す断面図。
【図２３】図２２中に示された第２部材の一部を示す斜視図。
【図２４】第７実施形態に係る電子機器の一部を示す断面図。
【図２５】図２４に示された電子機器の変形例の一部を示す断面図。
【図２６】第８実施形態に係る電子機器の一部を示す断面図。
【図２７】第９実施形態に係る電子機器の一部を示す断面図。
【発明を実施するための形態】
【０００８】
以下、実施の形態について、図面を参照して説明する。なお本明細書では、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
（第１実施形態）  
図１及び図２は、第１実施形態に係るテレビジョン受像機１を示す。テレビジョン受像機１は、「電子機器」の一例である。テレビジョン受像機１は、表示ユニット２と、該表示ユニット２を支持したスタンド３（支持部、台）とを有する。
【００１０】
図１に示すように、表示ユニット２は、扁平な箱状の筐体４と、該筐体４に収容された表示装置５とを有する。表示装置５は、画像や映像が表示される表示画面５ａを有する。筐体４は、前壁６（第１壁）、背壁７（後壁、第２壁）、及び周壁８（側壁、第３壁）を有する。前壁６は、表示画面５ａが露出する開口部６ａが設けられている。
【００１１】
図１及び図２に示すように、筐体４は、例えば、マスク１１（フロントカバー、第１カバー）と、バックカバー１２（カバー、第２カバー）と、アンテナカバー１３（第３カバー）とを有する。マスク１１の一例は、前壁６を含む。バックカバー１２の一例は、背壁７及び周壁８を含む。バックカバー１２は、「第１部材」の一例であり、筐体４の一部（第１部分）を構成する。
【００１２】
図２に示すように、筐体４は、開口部１４が設けられている。具体的には、バックカバー１２の端部には、切欠き部１５が設けられている。開口部１４は、該切欠き部１５とマスク１１との間の隙間によって設けられている。アンテナカバー１３は、バックカバー１２に取り付けられ、開口部１４を覆う。アンテナカバー１３は、「第２部材」の一例であり、筐体４の他の一部（第２部分）を構成する。
【００１３】
本実施形態では、アンテナカバー１３は、バックカバー１２に接着剤で固定される。なお、アンテナカバー１３とバックカバー１２との固定構造の詳細は、第２実施形態に係る構成と略同じである。そこで、上記固定構造の詳細については、第２実施形態で詳しく説明する。
【００１４】
（第２実施形態）  
次に、図３乃至図１６を参照して、第２実施形態に係る電子機器２１について説明する。なお、第１実施形態の構成と同一または類似の機能を有する構成は、同一の符号を付してその説明を省略する。
【００１５】
図３に示すように、本実施形態に係る電子機器２１は、例えばノートブック型ポータブルコンピュータ（ノートＰＣ）である。なお、本明細書で説明される実施形態が適用可能な電子機器は、上記例に限られない。本明細書で説明される実施形態は、例えばスレート型ポータブルコンピュータ（スレートＰＣ、タブレット）や、テレビジョン受像機、携帯電話（スマートフォンを含む）、ゲーム機など種々の電子機器に広く適用可能である。
【００１６】
図３に示すように、電子機器２１は、第１ユニット２２と、第２ユニット２３と、ヒンジ２４ａ，２４ｂとを有する。第１ユニット２２は、例えばメインボードが搭載されたメインユニットである。第１ユニット２２は、第１筐体２５を有する。第１筐体２５には、例えばメインボードとしての回路基板２６が収容されている。
【００１７】
第１筐体２５は、上壁２７（第１壁）、下壁２８（底壁、第２壁）、及び周壁２９（側壁、第３壁）を有し、扁平な箱状に形成されている。なお本明細書では、ユーザーから見て、上下左右を定義する。また、ユーザーに近い方を「前」、ユーザーから遠い方を「後」と定義する。
【００１８】
下壁２８は、電子機器２１が机の上に置かれた時、その机上面（外部載置面、載置面、外部面）に向かい合う。下壁２８には、例えば机上面に接する複数の脚部３０（支持部）が設けられている。
【００１９】
上壁２７は、下壁２８とは反対側に位置し、下壁２８と略平行に延びている（広がっている）。上壁２７には、入力部３１（入力受付部）が設けられている。入力部３１の一例は、キーボードであるが、これに限定されるものではなく、タッチパネル（タッチセンサ）でもよい。周壁２９は、上壁２７及び下壁２８に対して交差する方向に延び、下壁２８の周縁部と上壁２７の周縁部とを繋いでいる。
【００２０】
図３に示すように、第２ユニット２３は、表示ユニットである。第２ユニット２３は、第２筐体４と、第２筐体４に収容された表示装置５（表示部、ディスプレイ、表示モジュール）とを有する。表示装置５は、例えば液晶ディスプレイ（ＬＣＤ）、または有機ＥＬディスプレイであるが、これらに限定されない。
【００２１】
第２筐体４は、前壁６（第１壁）、背壁７（後壁、第２壁）、及び周壁８（側壁、第３壁）を有し、扁平な箱状に形成されている。表示装置５は、画像や映像が表示される表示画面５ａを有する。前壁６は、表示画面５ａが露出する開口部６ａが設けられている。背壁７は、前壁６とは反対側に位置し、前壁６と略平行に延びている（広がっている）。周壁８は、前壁６及び背壁７とは交差する方向に延び、前壁６の周縁部と背壁７の周縁部とを繋いでいる。
【００２２】
第２筐体４は、第１端部４ａと第２端部４ｂとを有する。第１端部４ａは、例えば下端部である。第２端部４ｂは、例えば上端部であり、第１端部４ａとは反対側に位置する。なお本明細書では、立て起された第２ユニット２３の姿勢を基準に、上下の名称を付けている。
【００２３】
図３に示すように、ヒンジ２４ａ，２４ｂは、第１筐体２５と、第２筐体４とに其々固定され、第１筐体２５と第２筐体４とを回動可能（開閉可能）に連結している。これにより、第２筐体４は、第１筐体２５と該第２筐体４とが重ねられた第１位置と、第１筐体２５と該第２筐体４とが開かれた第２位置との間で回動可能である。上記第１位置では、入力部３１及び表示画面５ａが外部に露出される。上記第２位置では、入力部３１及び表示画面５ａが外部から隠される。
【００２４】
図４及び図５に示すように、第２筐体４（以下、筐体４）は、マスク１１（フロントカバー、第１カバー）と、バックカバー１２（カバー、第２カバー）と、アンテナカバー１３（第３カバー）とを有する。
【００２５】
マスク１１の一例は、前壁６を含む。バックカバー１２の一例は、背壁７及び周壁８を含む。マスク１１とバックカバー１２とが組み合わされることで、筐体４の大部分が構成される。本実施形態では、マスク１１及びバックカバー１２は、金属製である。バックカバー１２は、「第１部材」の一例であり、筐体４の一部（第１部分）を構成する。
【００２６】
図５に示すように、筐体４は、開口部１４が設けられている。具体的には、図６に示すように、バックカバー１２の端部には、切欠き部１５が設けられている。切欠き部１５は、例えば椀状である。開口部１４は、該切欠き部１５とマスク１１との間の隙間によって設けられている。開口部１４は、筐体４の背壁７及び周壁８（例えば上壁）に亘る。開口部１４は、筐体４の第２端部４ｂに設けられ、筐体４の長手方向に延びている。開口部１４は、例えば第２端部４ｂの大部分に亘る。
【００２７】
図７に示すように、アンテナカバー１３は、第１部分４１と、第２部分４２と、第３部分４３とを有する。なお説明の便宜上、図７では、第２部分４２及び第３部分４３にハッチングを施す。
【００２８】
第１部分４１は、開口部１４と略同じ形状を有する。第１部分４１は、開口部１４に位置し、例えば開口部１４に嵌め込まれる。第１部分４１は、開口部１４から筐体４の外部に露出され、電子機器２１の外観面（表面）の一部を構成する。
【００２９】
換言すれば、第１部分４１によって開口部１４が覆われる。第１部分４１の表面は、バックカバー１２の表面と略一続きになる。第１部分４１は、例えばアンテナカバー１３の大部分を構成する。第１部分４１の長手方向は、アンテナカバー１３の長手方向（筐体４の長手方向）と一致する。
【００３０】
第２部分４２は、第１部分４１の長手方向の両端部に其々設けられている。換言すれば、一対の第２部分４２は、第１部分４１の両側に分かれて設けられている。第２部分４２は、第１部分４１の端部から、アンテナカバー１３の長手方向に延びている。
【００３１】
第２部分４２は、開口部１４から外れて位置し、バックカバー１２の内面（筐体４の内面）に面する。第２部分４２は、筐体４の内側からバックカバー１２に重なる。第２部分４２は、バックカバー１２に覆われ、外部からは見えない。第２部分４２は、バックカバー１２に取り付けられる取付部（固定部、接着部）である。
【００３２】
第３部分４３は、第１部分４１に対し、該第１部分４１の短手方向から隣接する。第３部分４３は、開口部１４から外れて位置し、バックカバー１２の内面（筐体４の内面）に面する。第３部分４３は、筐体４の内側からバックカバー１２に重なる。第３部分４３は、バックカバー１２に覆われ、外部からは見えない。第３部分４３は、バックカバー１２に取り付けられる取付部（固定部、接着部）である。第３部分４３は、アンテナカバー１３の長手方向に延び、一対の第２部分４２の間に亘る。
【００３３】
図８に示すように、アンテナカバー１３は、バックカバー１２に取り付けられ、開口部１４を覆う。アンテナカバー１３は、例えば筐体４の第２端部４ｂの大部分に亘る。アンテナカバー１３は、例えばプラスチック製である。アンテナカバー１３は、「第２部材」の一例であり、筐体４の他の一部（第２部分）を構成する。筐体４には、アンテナ４５（アンテナモジュール）が収容されている。アンテナカバー１３は、アンテナ４５に面する。アンテナ４５は、アンテナカバー１３を通して電波を送受信する。
【００３４】
次に、図９乃至図１３を参照して、アンテナカバー１３の固定構造について詳しく説明する。なお説明の便宜上、図１０では、接着剤に接してよいエリアにハッチングを施す。
【００３５】
本実施形態では、アンテナカバー１３は、接着剤４７（図１１参照）で、バックカバー１２に取り付けられる。接着剤４７は、例えばアンテナカバー１３の第２部分４２及び第３部分４３に塗られ、第２部分４２及び第３部分４３とバックカバー１２とを固定する。接着剤４７は、アンテナカバー１３の第２部分４２とバックカバー１２との間、及びアンテナカバー１３の第３部分４３とバックカバー１２との間に位置する。
【００３６】
図９乃至図１３に示すように、アンテナカバー１３の第２部分４２は、第１面５１と、第２面５２とを有する。第１面５１は、バックカバー１２に面する。つまり、第１面５１は、接着剤４７が塗られ、接着剤４７に面する。第１面５１は、バックカバー１２に固定される。第２面５２は、第１面５１とは反対側に位置する。第２面５２は、筐体４の内部に露出される。
【００３７】
図９及び図１０に示すように、アンテナカバー１３は、第１穴５３、第２穴５４、及び第３穴５５を有する。第１穴５３、第２穴５４、及び第３穴５５は、其々、「穴」、「孔」、「貫通穴」の一例である。第１穴５３、第２穴５４、及び第３穴５５は、其々、第２部分４２を貫通し、第１面５１と第２面５２とに亘る。第１穴５３、第２穴５４、及び第３穴５５は、其々、第１面５１及び第２面５２に開口している。
【００３８】
図１１に示すように、第２面５２には、ボス５６（突起、取付部、支持部）が設けられている。ボス５６は、第２面５２から筐体４の内側に突出している。第１穴５３は、ボス５６を貫通している。第１穴５３は、「収容部」、「取付部」、「固定部」、「係合部」の其々一例である。第１穴５３の一例は、ねじ穴である。また、第１穴５３は、接着剤４７の侵入が好まれない「接着剤禁止エリア」の一例である。
【００３９】
図１１に示すように、筐体４内には、ねじ５７（固定部材、取付部材）が収容されている。ねじ５７は、「第１部品」の一例である。ねじ５７は、モジュール５８（部品、部材）をボス５６に固定する。ねじ５７は、筐体４の内側から第１穴５３に取り付けられる。ねじ５７は、第１穴５３に挿入され、第１穴５３に係合する。ねじ５７の少なくとも一部は、第１穴５３に収容される。なお、「第１部品」は、ねじに限定されない。また、「第１穴」は、ねじ穴に限定されない。
【００４０】
第２穴５４は、「接着剤誘導孔」、「連通部」、「誘導部」、「ガイド」、「流路」の其々一例である。第２穴５４は、第１穴５３に対して、アンテナカバー１３の第１部分４１とは反対側に位置する。換言すれば、第１穴５３は、アンテナカバー１３の第１部分４１と、第２穴５４との間に位置する。
【００４１】
さらに言えば、アンテナカバー１３は、該アンテナカバー１３の長手方向の端部５９を有する。第２穴５４は、アンテナカバー１３の長手方向で、第１穴５３とアンテナカバー１３の端部５９との間に位置する。第２穴５４は、接着剤４７の一部を第１面５１から第２面５２に向けて導く。なお、「連通部」、「誘導部」、「ガイド」、及び「流路」は、穴に限られるものではなく、例えば第２部分４２に設けられた切欠き部でもよい。
【００４２】
図１３に示すように、第２面５２には、係合部６０（支持部、押さえ部、引掛部、係り部）が設けられている。係合部６０は、第２面５２から筐体４の内側に突出している。係合部６０は、例えば筐体４の内側に突出した一対のフックである。
【００４３】
図１３に示すように、筐体４には、ケーブル６１（ハーネス、部品、部材）が収容されている。ケーブル６１は、係合部６０に係り、係合部６０に支持される。ケーブル６１は、「第２部品」の一例である。なお、「第２部品」は、ケーブル６１に限定されない。
【００４４】
第３穴５５は、係合部６０に対応した位置に設けられている。第３穴５５は、ケーブル６１を逃がすために設けられた収容部（取付部）である。第３穴５５は、ケーブル６１の少なくとも一部が収容される。第３穴５５は、接着剤が侵入することが好まれない「接着剤禁止エリア」の一例である。
【００４５】
第３穴５５は、第２穴５４と、アンテナカバー１３の端部５９との間に位置する。換言すれば、第２穴５４は、アンテナカバー１３の長手方向で、第１穴５３と、第３穴５５との間に位置する。第２穴５４は、第１穴５３と第２穴５４との略中央位置に設けられている。
【００４６】
図９及び図１０に示すように、アンテナカバー１３は、第１溝６３、第２溝６４、第３溝６５、及び第４溝６６を有する。第１溝６３、第２溝６４、第３溝６５、及び第４溝６６は、其々、「窪み」、「誘導部」、「ガイド」、「流路」の一例である。第１溝６３、第２溝６４、第３溝６５、及び第４溝６６は、其々、第２部分４２の第１面５１に設けられている。
【００４７】
第１溝６３及び第３溝６５は、其々、「接着剤溜まり」、「溜まり」、「接着剤収容部」、「収容部」の一例である。第１溝６３は、第１穴５３の周囲に設けられている。第１溝６３は、第１穴５３を囲む環状に設けられている。第１溝６３は、第１穴５３の近傍に位置して接着剤４７が収容可能な部分の一例である。第３溝６５は、第３穴５５の周囲に設けられている。第３溝６５は、第３穴５５を囲む環状に設けられている。第３溝６５は、第３穴５５の近傍に位置して接着剤４７が収容可能な部分の一例である。
【００４８】
第２溝６４及び第４溝６６は、「接着剤誘導経路」の一例である。第２溝６４は、第１溝６３と第２穴５４とに亘り、第１溝６３と第２穴５４とを繋ぐ。第２溝６４は、第１溝６３に収容された接着剤４７の一部を第２穴５４に向けて導く。第２溝６４は、例えばアンテナカバー１３の長手方向に延びている。
【００４９】
第４溝６６は、第３溝６５と第２穴５４との間に亘り、第３溝６５と第２穴５４とを繋ぐ。第４溝６６は、第３溝６５に収容された接着剤４７の一部を第２穴５４に向けて導く。第４溝６６は、アンテナカバー１３の長手方向に延びている。
【００５０】
図９及び図１０に示すように、アンテナカバー１３は、第１突起６７及び第２突起６８を有する。第１突起６７及び第２突起６８は、其々、「接着剤侵入防止リブ」、「リブ」、「壁」、「閉塞部」、「当接部」、「接触部」の一例である。
【００５１】
第１突起６７は、第１穴５３と第１溝６３との間に設けられている。第１突起６７は、第１穴５３を囲む環状に形成されている。第１突起６７は、第１面５１からバックカバー１２に向けて突出している。第１面５１よりも第１突起６７は、バックカバー１２に近い。つまり、第１突起６７は、第１溝６３の縁（接着剤４７の入り口）と比べて、バックカバー１２に近い。第１突起６７は、例えばバックカバー１２に接し、バックカバー１２とアンテナカバー１３との間の隙間を塞ぐ。
【００５２】
第２突起６８は、第３穴５５と第３溝６５との間に設けられている。第２突起６８は、第３穴５５を囲む環状に形成されている。第２突起６８は、第１面５１からバックカバー１２に向けて突出している。第１面５１よりも第２突起６８は、バックカバー１２に近い。第２突起６８は、第３溝６５の縁（接着剤４７の入り口）と比べて、バックカバー１２に近い。第２突起６８は、例えばバックカバー１２に接し、バックカバー１２とアンテナカバー１３との間の隙間を塞ぐ。
【００５３】
次に、上記構造の作用について説明する。  
アンテナカバー１３は、接着剤４７によって、バックカバー１２に固定される。接着剤４７は、例えば第２部分４２の第１面５１に塗られる。接着剤４７が流動性のある状態で、接着剤４７が塗られた第１面５１をバックカバー１２に合わせると、アンテナカバー１３とバックカバー１２との間に接着剤４７が挟まれ、接着剤４７が移動する。
【００５４】
このとき、第１穴５３の近傍に位置する接着剤４７の一部は、第１溝６３に収容される。第１溝６３に収容された接着剤４７の一部は、第２溝６４を通じて第２穴５４に逃がされる。第２穴５４に逃がされた接着剤４７の一部は、第２穴５４から第２部分４２の第２面５２に向けて導かれ、第２穴５４の内部に移動する。なお、第２穴５４の内部に移動した接着剤４７は、図１１に示すように、第２穴５４の内部に収まってもよいし、図１２に示すように、第２面５２にはみ出してもよい。
【００５５】
これにより、接着剤４７が、第１穴５３の内部に侵入することが抑制される。つまり、第１穴５３に接着剤４７が入り込み、第１穴５３にねじ５７が取り付けられなくなることが抑制される。
【００５６】
同様に、第３穴５５の近傍に位置する接着剤４７の一部は、第３溝６５に収容される。第３溝６５に収容された接着剤４７の一部は、第４溝６６を通じて第２穴５４に逃がされる。第２穴５４に逃がされた接着剤４７の一部は、第２穴５４から第２部分４２の第２面５２に向いて導かれ、第２穴５４の内部に移動する。
【００５７】
これにより、接着剤４７が、第３穴５５の内部に侵入することが抑制される。つまり、第３穴５５に接着剤４７が入り込み、第３穴５５にケーブル６１の一部が収容できなくことが抑制される。
【００５８】
さらに本実施形態では、第１溝６３と第１穴５３との間に、第１突起６７が設けられている。これにより、第１穴５３の近傍の接着剤４７が第１穴５３に侵入することがさらに抑制される。つまり、第１穴５３に接着剤４７が入り込み、第１穴５３にねじ５７が取り付けられなくなることがさらに抑制される。
【００５９】
同様に、第３溝６５と第３穴５５との間に、第２突起６８が設けられている。これにより、第３穴５５の近傍の接着剤４７が第３穴５５に侵入することがさらに抑制される。つまり、第３穴５５に接着剤４７が入り込み、第３穴５５にケーブル６１の一部が収容できなくことがさらに抑制される。
【００６０】
次に、筐体４内の構造について説明する。  
図８に示すように、筐体４には、表示装置５が収容されている。表示装置５は、４つの端部５ｂ、５ｃ、５ｄ、５ｅを有する。第１端部５ｂは、例えば上端部であり、筐体４の長手方向に延びている。第２端部５ｃは、例えば下端部であり、第１端部５ｂとは反対側に位置する。第２端部５ｃは、筐体４の長手方向に延びている。
【００６１】
第３端部５ｄは、例えば右端部であり、筐体４の短手方向に延びている。第４端部５ｅは、例えば左端部であり、第３端部５ｄとは反対側に位置する。第４端部５ｅは、筐体４の短手方向に延びている。つまり、第３端部５ｄ及び第４の端部５ｅは、第１端部５ｂ及び第２の端部５ｃとは交差した（例えば略直交した）方向に延びている。
【００６２】
図８に示すように、筐体４には、第１及び第２の補強部材７１，７２（補強部）が収容されている。第１及び第２の補強部材７１，７２は、例えば板金（サポート板金、金属部、板部）であり、筐体４を補強している。第１補強部材７１は、第１ヒンジ２４ａに連結されている。第２補強部材７２は、第２ヒンジ２４ｂに連結されている。
【００６３】
図８に示すように、第１補強部材７１は、表示装置５の第３端部５ｄに沿う第１部分７１ａと、表示装置５の第１端部５ｂに沿う第２部分７１ｂとを有する。すなわち、第２部分７１ｂは、第１部分７１ａとは交差した（例えば略直交した）方向に延びている。
【００６４】
図１４及び図１５に示すように、第１部分７１ａ及び第２部分７１ｂは、其々、バックカバー１２の内面に密着し、バックカバー１２との間に隙間を有しない。第１部分７１ａ及び第２部分７１ｂは、アンテナカバー１３と表示装置５との間に位置する。第１補強部材７１は、表示装置５が収容される領域（表示装置５に面する領域）と、表示装置５の外側に位置する領域とを区切る。
【００６５】
第１部分７１ａ及び第２部分７１ｂは、アンテナカバー１３に塗られた接着剤４７の一部が表示装置５に向いて移動することを抑制する壁である。これにより、接着剤４７が表示装置５に達することが抑制される。
【００６６】
同様に、第２補強部材７２は、表示装置５の第４端部５ｅに沿う第１部分７２ａと、表示装置５の第１端部５ｂに沿う第２部分７２ｂとを有する。すなわち、第２部分７２ｂは、第１部分７２ａとは交差した（例えば略直交した）方向に延びている。第１部分７２ａ及び第２部分７２ｂの構成及び機能は、第１補強部材７１の第１部分７１ａ及び第２部分７１ｂと同じである。第２補強部材７２は、表示装置５が収容される領域（表示装置５に面する領域）と、表示装置５の外側に位置する領域とを区切る。
【００６７】
このような構成によれば、電子機器２１の製造性の向上及び低コスト化を図ることができる。  
接着剤の一例は、例えば両面テープのような他の取付部材に比べて安価である。このため、電子機器の組み立てに接着剤を積極的に利用することができれば、電子機器の製造コストを低下させることができる。
【００６８】
しかしながら、接着剤は、塗布量の調整が難しいという課題がある。接着剤は、例えばディスペンサーで塗布されるが、塗布開始時点と、しばらく時間が経過した時点とで、ディスペンサー出口での接着剤の粘度が異なることが多い。このため、接着剤は、塗布量の調整が難しい。
【００６９】
このため、例えば接着強度が必要で、且つ、接着剤４７のはみ出しが好まれない領域（以下、はみ出し禁止エリア）が近い場合、接着剤４７の塗布量の調整がさらに困難になる。これは、接着強度が必要な場合は、十分な量の接着剤を供給する必要があるが、供給された接着剤がはみ出し禁止エリアにはみ出す可能性があるためである。
【００７０】
例えば、接着剤が塗布される部材に、はみ出し禁止エリアとしてのねじ穴が設けられていた場合、部材同士を接着する時に、接着剤の一部が上記ねじ穴に入る可能性がある。ねじ穴に接着剤が入ると、該ねじ穴の奥までねじが挿入できなくなる。その結果、製造歩留まり（組立歩留まり）が低下し、電子機器の製造性の向上や低コスト化が困難になる。
【００７１】
一方で、本実施形態によれば、電子機器２１は、バックカバー１２と、第１穴５３が設けられたアンテナカバー１３と、バックカバー１２とアンテナカバー１３との間に位置した接着剤４７とを有する。アンテナカバー１３は、第１穴５３の近傍の領域に接着剤４７が収容可能な第１溝６３を有する。
【００７２】
これによれば、アンテナカバー１３とバックカバー１２とを組み合わせる時、アンテナカバー１３とバックカバー１２とに挟まれて第１穴５３に入ろうとする接着剤４７は、第１溝６３に収容される。これにより、接着剤のはみ出す部分を比較的容易にコントロールすることできる。このため、十分な量の接着剤４７を塗布しつつ、接着剤４７が第１穴５３（はみ出し禁止エリア）に入ることを抑制することができる。これにより、製造歩留まりが向上し、電子機器２１の製造性の向上及び低コスト化を図ることができる。
【００７３】
本実施形態では、アンテナカバー１３は、該アンテナカバー１３を貫通した第２穴５４と、第１溝６３と第２穴５４とを結ぶ第２溝６４とを有する。このような構成によれば、第１溝６３に収容された接着剤４７の一部は、第２溝６４から第２穴５４に導かれ、第２穴５４からアンテナカバー１３の第２面５２に向けて逃がされる。このため、接着剤４７が第１穴５３にさらに入りにくくなり、電子機器２１の製造性の向上及び低コスト化をさらに図ることができる。
【００７４】
本実施形態では、バックカバー１２は、筐体４の一部を構成している。アンテナカバー１３は、筐体４の他の一部を構成している。このような構成において、第１溝６３や第２穴５４が設けられていると、接着剤４７の一部が筐体４の外部にはみ出ることが抑制される。これにより、外観不良が生じることを抑制し、製品の品質の維持または向上を図ることができる。これは、製造歩留まりの改善を通じて、電子機器２１の製造性の向上及び低コスト化に寄与する。
【００７５】
本実施形態では、アンテナカバー１３は、第１穴５３と第１溝６３との間に設けられて第１穴５３を囲む環状の第１突起６７を有する。このような構成によれば、第１穴５３に接着剤４７がさらに入りにくくなり、電子機器２１の製造性の向上及び低コスト化をさらに図ることができる。
【００７６】
本実施形態では、第１突起６７は、アンテナカバー１３からバックカバー１２に向いて突出してバックカバー１２に接している。このような構成によれば、第１穴５３に接着剤４７がさらに入りにくくなり、電子機器２１の製造性の向上及び低コスト化をさらに図ることができる。
【００７７】
本実施形態では、第２穴５４は、第１穴５３に対して、アンテナカバー１３の第１部分４１とは反対側に位置する。このような構成によれば、接着剤４７は、アンテナカバー１３の第１部分（すなわち外部露出部分）とは反対側に導かれやすい。このため、接着剤４７は、筐体４の外部にはみ出しにくい。これは、電子機器２１の製造性の向上及び低コスト化に寄与する。
【００７８】
本実施形態では、「第１部品」は、ねじ５７である。第１穴５３は、ねじ５７が係合するねじ穴である。このような構成によれば、ねじ穴に接着剤４７が入りにくく、ねじ穴の奥までねじ５７を挿入することができる。このため、製造歩留まりが向上し、電子機器２１の製造性の向上及び低コスト化をさらに図ることができる。
【００７９】
本実施形態では、第２穴５４は、第１穴５３と、アンテナカバー１３の長手方向の端部５９との間に位置する。さらに、第２溝６４は、アンテナカバー１３の長手方向に延びている。アンテナカバー１３は、例えば該アンテナカバー１３の長手方向に沿って順に指などで押さえながらバックカバー１２に取り付けられることが多い。このため、第２溝６４がアンテナカバー１３の長手方向に延びていると、接着剤４７が第２溝６４に沿って移動しやすい。このため、第１穴５３に接着剤４７がさらに入りにくくなり、電子機器２１の製造性の向上及び低コスト化をさらに図ることができる。
【００８０】
本実施形態では、アンテナカバー１３は、該アンテナカバー１３を貫通した第３穴５５と、第３穴５５の周囲に設けられた第３溝６５と、第３溝６５と第２穴５４とに亘る第４溝６６とを有する。このような構成によれば、アンテナカバー１３とバックカバー１２とを組み合わせる時、アンテナカバー１３とバックカバー１２とに挟まれて第３穴５５に入ろうとする接着剤４７は、第３溝６５に収容される。さらに上記接着剤４７の一部は、第４溝６６を通って第２穴５４からアンテナカバー１３の第２面５２に向いて逃がされる。このため、第３穴５５に接着剤４７が入りにくく、電子機器２１の製造性及び低コスト化をさらに図ることができる。
【００８１】
なお、図１６は、第２実施形態に係る変形例を示す。図１６に示すように、アンテナカバー１３の第２面５２は、突起７４（リブ、壁、延長部）を有してもよい。突起７４は、第２穴５４の周囲に環状に設けられている。これにより、第２穴５４は、アンテナカバー１３の厚さ方向に延長されている。このため、第２穴５４に入った接着剤４７が、第２面５２で広がることが抑制される。これにより、第２面５２で第２穴５４の近くに接着剤４７がはみ出すことが好ましくない領域がある場合でも、製造歩留まりの向上を通じて、電子機器２１の製造性の向上及び低コスト化を図ることができる。
【００８２】
（第３実施形態）  
次に、図１７乃至図１９を参照して、第３実施形態に係る電子機器２１について説明する。なお、第１及び第２実施形態の構成と同一または類似の機能を有する構成は、同一の符号を付してその説明を省略する。また、下記に説明する以外の構成は、第２実施形態と同じである。
【００８３】
図１７に示すように、本実施形態に係る電子機器２１は、例えばスレート型ポータブルコンピュータ（スレートＰＣ、タブレット）である。電子機器２１は、扁平な箱状の筐体４を有する。筐体４は、上壁２７（第１壁）、下壁２８（底壁、第２壁）、及び周壁２９（側壁、第３壁）を有する。上壁２７は、表示画面５ａが露出する開口部２７ａが設けられている。
【００８４】
図１８に示すように、筐体４には、例えば複数のモジュール８１（部材、部品、ユニット）が収容されている。モジュール８１の一例は、バッテリ（電池）である。本実施形態では、モジュール８１（バッテリ）は、複数のセル８２ａ，８２ｂ，８２ｃと、回路基板８３とを有する。複数のセル８２ａ，８２ｂ，８２ｃは、電気的には直列又は並列に接続されている。各セル８２ａ，８２ｂ，８２ｃの電極は、回路基板８３に電気的に接続されている。
【００８５】
各セル８２ａ，８２ｂ，８２ｃは、其々、電解質（電解液）や、電極、セパレータが収容（封入）された室（収容部）が設けられた単電池である。これらセル８２ａ，８２ｂ，８２ｃは、いずれも、筐体４の厚さ方向に薄い偏平な直方体状（板状、角板状、カード状）に形成されている。
【００８６】
本実施形態では、筐体４は、「第１部材」の一例である。セル８２ａ，８２ｂ，８２ｃ（又はモジュール８１）は、「第２部材」の一例である。図１９に示すように、セル８２ａ，８２ｂ，８２ｃは、其々、穴５３を有する。さらにセル８２ａ，８２ｂ，８２ｃは、穴５３の近傍に、接着剤４７の一部が収容可能な部分（収容部）としての溝６３（窪み）を有する。
【００８７】
セル８２ａ，８２ｂ，８２ｃは、其々、例えば、第１面５１と、第２面５２と、第３面８５とを有する。第１面５１は、筐体４の内面に面する。接着剤４７は、筐体４の内面とセル８２ａ，８２ｂ，８２ｃの第１面５１との間に位置する。第２面５２は、第１面５１とは反対側に位置し、筐体４の内部に露出する。第３面８５は、セル８２ａ，８２ｂ，８２ｃの側面であり、第１面５１及び第２面５２とは交差した（例えば略直交した）方向に延びている（広がっている）。
【００８８】
上記溝６３は、セル８２ａ，８２ｂ，８２ｃの第１面５１に設けられている。さらに本実施形態では、セル８２ａ，８２ｂ，８２ｃは、溝６３と第３面８５とに亘る溝６４が設けられている。溝６４は、第３面８５に開口している。溝６４は、溝６３に収容された接着剤４７の一部を第３面８５に向けて導く。これにより、溝６３に収容された接着剤４７の一部が、第３面８５からセル８２ａ，８２ｂ，８２ｃの外部に流出可能になっている。
【００８９】
このような構成によれば、第２実施形態と同様に、接着剤４７が穴５３に入ることが抑制され、電子機器２１の製造性の向上及び低コスト化を図ることができる。
【００９０】
つまり、本実施形態では、電子機器２１は、筐体４と、穴５３が設けられたモジュール８１と、筐体４とモジュール８１との間に位置した接着剤４７とを有する。モジュール８１は、上記穴５３の近傍に位置して接着剤４７が収容可能な溝６３（収容部）を有する。このような構成によれば、筐体４とモジュール８１とを組み合わせる時、筐体４とモジュール８１とに挟まれて穴５３に入ろうとする接着剤４７の一部は、溝６３に収容される。このため、接着剤４７が穴５３に入りにくく、電子機器２１の製造性の向上及び低コスト化を図ることができる。
【００９１】
（第４実施形態）  
次に、図２０を参照して、第４実施形態に係る電子機器２１について説明する。なお、第１乃至第３実施形態の構成と同一または類似の機能を有する構成は、同一の符号を付してその説明を省略する。また、下記に説明する以外の構成は、第２実施形態と同じである。
【００９２】
図２０に示すように、電子機器２１は、第１部材９１と、第２部材９２とを有する。接着剤４７は、第１部材９１と第２部材９２との間に位置する。第２部材９２は、第１面５１と、第２面５２とを有する。第１面５１は、第１部材９１に面する。つまり、第１面５１は、接着剤４７が塗られ、接着剤４７に面する。第１面５１は、第１部材９１に固定される。第２面５２は、第１面５１とは反対側に位置する。第２面５２は、例えば筐体４の内部に露出される。
【００９３】
図２０に示すように、第２部材９２は、穴５３、及び収容部６３を有する。穴５３は、第２部材９２を貫通し、第１面５１と第２面５２とに亘る。穴５３は、第１面５１及び第２面５２に開口している。
【００９４】
収容部６３は、第２部材９２の第１面５１に設けられた窪みである。収容部６３は、「接着剤溜まり」、「溜まり」、「接着剤収容部」、「溝」の一例である。収容部６３は、穴５３の近傍に位置する。収容部６３は、接着剤４７の一部を収容可能な部分の一例である。
【００９５】
収容部６３は、例えば、第１部材９１に面した第１部分６３ａ（第１凹部）と、第１部材９１から外れた第２部分６３ｂ（第２凹部）とを有する。第１部分６３ａと第２部分６３ｂとは互いに繋がっている。収容部６３は、例えば接着剤４７の一部を第１部材９１から外れた位置に導く部分であり、「誘導部」、「ガイド」、「流路」の一例である。
【００９６】
このような構成によれば、第２実施形態と同様に接着剤４７が穴５３に入ることが抑制され、電子機器２１の製造性の向上及び低コスト化を図ることができる。
【００９７】
つまり、本実施形態では、接着剤４７は、例えば第２部材９２の第１面５１に塗られる。接着剤４７が塗られた第１面５１を第１部材９１に合わせると、第１部材９１と第２部材９２との間に接着剤４７が挟まれ、接着剤４７の一部が穴５３に入ろうとする。
【００９８】
しかしながら、本実施形態では、穴５３の近傍に収容部６３が設けられている。このため、穴５３に入ろうとする接着剤４７の一部は、収容部６３に収容される。これにより、接着剤４７が穴５３に入ることが抑制される。
【００９９】
さらに本実施形態では、収容部６３は、第１部材９１に面した第１部分６３ａと、第１部材９１から外れた第２部分６３ｂとを有する。このため、収容部６３に収容された接着剤４７の一部は、第１部材９１から外れた位置まで導かれる。これにより、接着剤４７が穴５３に入ることがさらに抑制される。
【０１００】
なお、収容部６３は、第２部材９２に代えて（または第２部材９２に加えて）、第１部材９１に設けられてもよい。また、本明細書で説明される溝６３、６４、６５、６６は、第１部材９１（またはバックカバー１２）に設けられてもよい。
【０１０１】
（第５実施形態）  
次に、図２１を参照して、第５実施形態に係る電子機器２１について説明する。なお、第１乃至第４実施形態の構成と同一または類似の機能を有する構成は、同一の符号を付してその説明を省略する。また、下記に説明する以外の構成は、第２実施形態と同じである。
【０１０２】
図２１に示すように、電子機器２１は、第１部材９１と、第２部材９２とを有する。接着剤４７は、第２部材９２と第１部材９１との間に位置する。第２部材９２は、第１面５１と、第２面５２とを有する。第１面５１は、第１部材９１に面する。つまり、第１面５１は、接着剤４７が塗られ、接着剤４７に面する。第１面５１は、第１部材９１に固定される。第２面５２は、第１面５１とは反対側に位置する。第２面５２は、筐体４の内部に露出される。
【０１０３】
図２１に示すように、第２部材９２は、穴５３、及び収容部６３を有する。穴５３は、第２部材９２を貫通し、第１面５１と第２面５２とに亘る。穴５３は、第１面５１及び第２面５２に開口している。
【０１０４】
収容部６３は、第２部材９２の第１面５１に設けられた窪みである。収容部６３は、「接着剤溜まり」、「溜まり」、「接着剤収容部」の一例である。収容部６３は、穴５３の近傍に位置する。収容部６３は、接着剤４７の一部を収容可能な部分の一例である。
【０１０５】
図２１に示すように、本実施形態では、収容部６３は、穴５３に繋がっている（隣接している）。収容部６３は、穴５３の周囲に設けられた窪みである。収容部６３の一例は、穴５３の端部に隣接してすり鉢状に設けられている。なお、収容部６３の形状は、上記に限定されるものではない。
【０１０６】
このような構成によれば、第２実施形態と同様に、接着剤４７が穴５３に入ることが抑制され、電子機器２１の製造性の向上及び低コスト化を図ることができる。
【０１０７】
つまり、本実施形態では、穴５３の近傍に収容部６３が設けられている。このため、穴５３に入ろうとする接着剤４７の一部は、収容部６３に収容される。これにより、接着剤４７が穴５３に入ることが抑制される。
【０１０８】
（第６実施形態）  
次に、図２２及び図２３を参照して、第６実施形態に係る電子機器２１について説明する。なお、第１乃至第５実施形態の構成と同一または類似の機能を有する構成は、同一の符号を付してその説明を省略する。また、下記に説明する以外の構成は、第２実施形態と同じである。
【０１０９】
図２２に示すように、電子機器２１は、第１部材９１と、第２部材９２とを有する。第１部材９１は、外部に露出され、筐体４の一部（第１部分）を構成する。第１部材９１は、開口部１４を有する。
【０１１０】
第２部材９２は、第１部分４１と、第２部分４２とを有する。第１部分４１は、開口部１４と略同じ形状を有する。第１部分４１は、開口部１４に位置し、例えば開口部１４に嵌め込まれる。第１部分４１は、開口部１４から筐体４の外部に露出され、電子機器２１の外観面（表面）の一部を構成する。換言すれば、第１部分４１によって開口部１４が覆われる。第１部分４１の表面は、第１部材９１の表面と略ひと続きになる。
【０１１１】
第２部分４２は、第１部分４１の端部から延びている。第２部分４２は、開口部１４から外れて位置し、第１部材９１の内面（筐体４の内面）に面する。第２部分４２は、筐体４の内側から第１部材９１に重なる。第２部分４２は、第１部材９１に覆われ、外部からは見えない。第２部分４２は、第１部材９１に取り付けられる取付部（固定部、接着部）である。第２部材９２は、筐体４の他の一部（第２部分）を構成する。
【０１１２】
本実施形態では、第２部材９２は、接着剤４７で、第１部材９１に取り付けられる。接着剤４７は、例えば第２部材９２の第２部分４２に塗られ、第２部分４２と第１部材９１とを固定する。接着剤４７は、第２部材９２の第２部分４２と第１部材９１との間に位置する。
【０１１３】
図２２に示すように、第２部材９２の第２部分４２は、第１面５１と、第２面５２とを有する。第１面５１は、第１部材９１に面する。つまり、第１面５１は、接着剤４７が塗られ、接着剤４７に面する。第１面５１は、第１部材９１に固定される。第２面５２は、第１面５１とは反対側に位置する。第２面５２は、筐体４の内部に露出される。
【０１１４】
図２２及び図２３に示すように、第２部材９２の第２部分４２は、穴５４、第１溝６３、及び第２溝６４を有する。穴５４は、第２部分４２を貫通し、第１面５１と第２面５２とに亘る。穴５４は、第１面５１及び第２面５２に開口している。
【０１１５】
第１溝６３及び第２溝６４は、其々、「窪み」、「誘導部」、「ガイド」、「流路」の一例である。第１溝６３及び第２溝６４は、第２部分４２の第１面５１に設けられている。第１溝６３は、「接着剤溜まり」、「溜まり」、「接着剤収容部」、「収容部」の一例である。
【０１１６】
図２２及び図２３に示すように、第１溝６３は、第１部材９１の端部と第２部材９２の第１部分４１（外部露出部分）との境界９４に沿って設けられている。第１溝６３は、第１部材９１の端部に沿って延びている。第１溝６３は、接着剤４７が収容可能である。第２溝６４は、「接着剤誘導経路」の一例である。第２溝６４は、第１溝６３と穴５４との間に亘る。第２溝６４は、第１溝６３に収容された接着剤４７の一部を穴５４に向けて導く。
【０１１７】
図２２及び図２３に示すように、第２部材９２は、突起６７を有する。突起６７は、「リブ」、「壁」、「閉塞部」、「当接部」、「接触部」の一例である。突起６７は、上記境界９４と第１溝６３との間に位置する。突起６７は、境界９４に沿って延びている。突起６７は、第１面５１から第１部材９１に向けて突出している。第１面５１よりも突起６７は、第１部材９１に近い。突起６７は、例えば第１部材９１に接し、第１部材９１と第２部材９２との間の隙間を塞ぐ。
【０１１８】
このような構成によれば、第２実施形態と同様に、電子機器２１の製造性の向上を図ることができる。
【０１１９】
本実施形態では、接着剤４７は、例えば第２部分４２の第１面５１に塗られる。接着剤４７が塗られた第１面５１を第１部材９１に組み合わせると、第１部材９１と第２部材９２との間に接着剤４７が挟まれる。これにより、接着剤４７の一部は、第１部材９１の端部と第２部材９２の第１部分４１との境界９４に向いて移動し、境界９４から筐体４の外部にはみ出そうとする。
【０１２０】
しかしながら、本実施形態では、第１部材９１の端部と第２部材９２の第１部分４１との境界９４の近傍に第１溝６３が設けられている。このため、接着剤４７の一部は、第１溝６３に収容される。これにより、接着剤４７は、外部にはみ出しにくい。
【０１２１】
さらに本実施形態では、第１溝６３に収容された接着剤４７の一部は、第２溝６４を通じて穴５４に逃がされる。穴５４に逃がされた接着剤４７の一部は、穴５４から第２部分４２の第２面５２に向けて導かれる。さらに本実施形態では、境界９４と第１溝６３との間に、突起６７が設けられている。これにより、接着剤４７が境界９４に向いて移動することがさらに抑制される。
【０１２２】
（第７実施形態）  
次に、図２４を参照して、第７実施形態に係る電子機器２１について説明する。なお、第１乃至第６実施形態の構成と同一または類似の機能を有する構成は、同一の符号を付してその説明を省略する。また、下記に説明する以外の構成は、第４実施形態と同じである。
【０１２３】
図２４に示すように、第１部材９１の端部は、第２部材９２に向いて突出した突起１０１を有する。突起１０１は、例えば第１部材９１の端部が折り曲げられることで設けられている。突起１０１は、例えば第１部材９１の端部に沿って延びた壁部（リブ）である。
【０１２４】
第２部材９２は、上記突起１０１を受ける凹部１０２（溝、収容部）を有する。突起１０１の一部は、凹部１０２に挿入され、凹部１０２に収容される。接着剤４７は、第１部材９１と第２部材９２の第２部分４２との間に位置する。突起１０１は、接着剤４７と、第２部材９２の第１部分４１との間に位置する。
【０１２５】
このような構成によれば、電子機器２１の製造性の向上及び低コスト化を図ることができる。  
本実施形態では、第１部材９１に突起１０１が設けられている。さらに第２部材９２に、上記突起１０１が入る凹部１０２が設けられている。このような構成によれば、突起１０１と凹部１０２とによって、接着剤４７が外部にはみ出ることが抑制される。このため、製造歩留まりが向上し、電子機器２１の製造性の向上及び低コスト化を図ることができる。なお、突起１０１は、図２５に示すように、曲面状の突起でもよい。また、第２部材９２に突起１０１が設けられ、第１部材９１に凹部１０２が設けられてもよい。
【０１２６】
（第８実施形態）  
次に、図２６を参照して、第８実施形態に係る電子機器２１について説明する。なお、第１乃至第７実施形態の構成と同一または類似の機能を有する構成は、同一の符号を付してその説明を省略する。また、下記に説明する以外の構成は、第２実施形態と同じである。
【０１２７】
図２６に示すように、電子機器２１は、第１部材９１と、第２部材９２とを有する。第１部材９１は、外部に露出され、筐体４の一部（第１部分）を構成する。第１部材９１は、開口部１４を有する。
【０１２８】
第２部材９２は、第１部分４１と、第２部分４２とを有する。第１部分４１は、開口部１４と略同じ形状を有する。第１部分４１は、開口部１４に位置し、例えば開口部１４に嵌め込まれる。第１部分４１は、開口部１４から筐体４の外部に露出され、電子機器２１の外観面（表面）の一部を構成する。換言すれば、第１部分４１によって開口部１４が覆われる。第１部分４１の表面は、第１部材９１の表面と略ひと続きになる。
【０１２９】
第２部分４２は、第１部分４１の端部から延びている。第２部分４２は、開口部１４から外れて位置し、第１部材９１の内面（筐体４の内面）に面する。第２部分４２は、筐体４の内側から第１部材９１に重なる。第２部分４２は、第１部材９１に覆われ、外部からは見えない。第２部分４２は、第１部材９１に取り付けられる取付部（固定部、接着部）である。第２部材９２は、筐体４の他の一部（第２部分）を構成する。
【０１３０】
本実施形態では、第２部材９２は、接着剤４７で、第１部材９１に取り付けられる。接着剤４７は、例えば第２部材９２の第２部分４２に塗られ、第２部分４２と第１部材９１とを固定する。接着剤４７は、第２部材９２の第２部分４２と第１部材９１との間に位置する。
【０１３１】
図２６に示すように、第２部材９２の第２部分４２は、第１面５１と、第２面５２と、第３面８５とを有する。第１面５１は、第１部材９１に面する。つまり、第１面５１は、接着剤４７が塗られ、接着剤４７に面する。第１面５１は、第１部材９１に固定される。第２面５２は、第１面５１とは反対側に位置する。第２面５２は、筐体４の内部に露出される。第３面８５は、第１面５１及び第２面５２とは交差した方向に延び、第１面５１と第２面５２とに亘る。
【０１３２】
第２面５２は、第１面５１に対して傾斜している。第２面５２には、モジュールの一例としてのアンテナ４５が取り付けられる。アンテナ４５と第１部材９１の内面との間には、アンテナ４５が傾斜することによって設けられた空間Ｓが生じる。空間Ｓは、接着剤４７がはみ出してよい領域の一例である。
【０１３３】
図２６に示すように、第２部材９２の第２部分４２は、第１面５１に溝６３を有する。溝６３は、第３面８５に達し、第３面８５に開口している。本実施形態では、溝６３は、アンテナ４５と第１部材９１との間の空間Ｓに通じる。
【０１３４】
このような構成によれば、電子機器２１の製造性の向上及び低コスト化を図ることができる。
【０１３５】
本実施形態では、第２部材９２に溝６３が設けられている。溝６３は、アンテナ４５と第１部材９１の内面との間に設けられた空間Ｓに通じる。このような構成によれば、第２部材９２と第１部材９１との間に挟まれた接着剤４７の一部は、溝６３を通じて、上記空間Ｓに逃がされる。このため、接着剤４７が筐体４の外部にはみ出しにくい。このため、製造歩留まりが向上し、電子機器２１の製造性の向上及び低コスト化を図ることができる。
【０１３６】
（第９実施形態）  
次に、図２７を参照して、第９実施形態に係る電子機器２１について説明する。なお、第１乃至第８実施形態の構成と同一または類似の機能を有する構成は、同一の符号を付してその説明を省略する。また、下記に説明する以外の構成は、第２実施形態と同じである。
【０１３７】
本実施形態では、アンテナカバー１３の第２部分４２は、第１領域１１１と、第２領域１１２とを有する。第１領域１１１は、接着剤４７が塗布される領域である。第２領域１１２は、第１穴５３の周囲、及び第２穴５５の周囲に設けられている。つまり、第２領域１１２は、第１穴５３と第１領域１１１との間、及び、第２穴５５と第１領域１１１との間に設けられている。
【０１３８】
第２領域１１２は、例えば両面テープ１１３が貼られる。第２領域１１２は、両面テープ１１３でバックカバー１２に固定される。換言すれば、第２領域１１２は、第１領域１１１に塗布される接着剤４７に比べて、流動性が小さな接着部が設けられる。
【０１３９】
このような構成によれば、接着剤４７が穴５３，５５に入りにくい。このため、第２実施形態と同様に、電子機器２１の製造性の向上及び低コスト化を図ることができる。
【０１４０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【０１４１】
例えば、第１部材及び第２部材は、バックカバーやアンテナカバー、バッテリに限定されるものではなく、種々の部材に用いられる。例えば第１部材及び第２部材のいずれか一方は、筐体であり、いずれか他方は、上記筐体に収容される部品（部材、モジュール）でもよい。また、第１部材及び第２部材は、ともに筐体に収容された部品（部材、モジュール）でもよい。
【０１４２】
第１溝６３、第２溝６４、第３溝６５、第２穴５４、第１突起６７、及び第２突起６８は、全てが必ず必要な構成ではなく、必要に応じて一部省略して適用してもよい。また、第１溝６３、第２溝６４、第３溝６５、第２穴５４、第１突起６７、及び第２突起６８の位置や形状は、上記に限定されるものではない。
【０１４３】
なお、本明細書で各構成要素に付された「第１」、「第２」、「第３」、「第４」などの表示は、単に例示であり、各構成要素は、必要に応じて柔軟に番号が振り直されて呼称されてもよい。
【符号の説明】
【０１４４】
１…テレビジョン受像機、４…筐体、１２…バックカバー、１３…アンテナカバー、２１…電子機器、４１…第１部分、４２…第２部分、４３…第３部分、４７…接着剤、５１…第１面、５２…第２面、５３…第１穴、５４…第２穴、５５…第３穴、５７…ねじ、５９…端部、６１…ケーブル、６３…第１溝、６４…第２溝、６５…第３溝、６６…第４溝、６７…第１突起、６８…第２突起。
【図１】
2013250328.tif 000003
【図２】
2013250328.tif 000004
【図３】
2013250328.tif 000005
【図４】
2013250328.tif 000006
【図５】
2013250328.tif 000007
【図６】
2013250328.tif 000008
【図７】
2013250328.tif 000009
【図８】
2013250328.tif 000010
【図９】
2013250328.tif 000011
【図１０】
2013250328.tif 000012
【図１１】
2013250328.tif 000013
【図１２】
2013250328.tif 000014
【図１３】
2013250328.tif 000015
【図１４】
2013250328.tif 000016
【図１５】
2013250328.tif 000017
【図１６】
2013250328.tif 000018
【図１７】
2013250328.tif 000019
【図１８】
2013250328.tif 000020
【図１９】
2013250328.tif 000021
【図２０】
2013250328.tif 000022
【図２１】
2013250328.tif 000023
【図２２】
2013250328.tif 000024
【図２３】
2013250328.tif 000025
【図２４】
2013250328.tif 000026
【図２５】
2013250328.tif 000027
【図２６】
2013250328.tif 000028
【図２７】
2013250328.tif 000029